(57)【特許請求の範囲】
【請求項１】
描画チャンバーと、前記描画チャンバー内に設置されたステージと、前記描画チャンバーと接続された待機用チャンバーと、前記待機用チャンバー内に設置された恒温装置とを具備するパターン描画装置における温度測定方法であって、
温度測定手段と、前記温度測定手段によって測定された温度を記録する記録手段とを具備するダミー基板を、前記恒温装置に搬送し、次に前記描画チャンバー内に搬送し、次に前記ステージ上に設置することによって、前記恒温装置、前記ステージ上の搬送経路における前記ダミー基板の温度履歴を前記記録手段に記録する温度測定方法であり、
前記搬送経路内の少なくとも１箇所に前記ダミー基板を滞留し、当該場所の温度を測定する工程と、前記搬送経路内の温度分布を計算する演算工程と、前記計算結果に基き前記描画装置にパターン描画データの補正値を与える制御工程とを具備することを特徴とするパターン描画装置における温度測定方法。
【請求項２】
描画チャンバーと、前記描画チャンバー内に設置されたステージと、前記描画チャンバーと接続された待機用チャンバーと、前記待機用チャンバー内に設置された恒温装置とを具備するパターン描画装置における温度測定方法であって、
温度測定手段と、前記温度測定手段によって測定された温度を電磁波に変換し出力する発信手段とを具備するダミー基板を、前記恒温装置に搬送し、次に前記描画チャンバー内に搬送し、次に前記ステージ上に設置することによって、前記恒温装置、前記ステージ上の搬送経路における前記ダミー基板の温度履歴を前記発信手段から前記チャンバー外部で受信することによって測定する温度測定方法であり、
前記搬送経路内の少なくとも１箇所に前記ダミー基板を滞留し、当該場所の温度を測定する工程と、前記搬送経路内の温度分布を計算する演算工程と、前記計算結果に基き前記描画装置にパターン描画データの補正値を与える制御工程とを具備することを特徴とするパターン描画装置における温度測定方法。
【請求項３】
描画チャンバーと、前記描画チャンバー内に設置されたステージと、前記描画チャンバーと接続された待機用チャンバーと、前記待機用チャンバー内に設置された恒温装置とを具備するパターン描画装置における温度測定方法であって、
温度測定手段と、前記温度測定手段に接続された端子とを具備するダミー基板を、前記恒温装置に搬送し、次に前記描画チャンバー内に搬送し、次に前記ステージ上に設置することによって、前記恒温装置、前記ステージ上の搬送経路における前記ダミー基板の温度を前記搬送経路内に設けられた接続手段と前記ダミー基板の前記端子とを接続することによって測定する温度測定方法であり、
前記搬送経路内の少なくとも１箇所に前記ダミー基板を滞留し、当該場所の温度を測定する工程と、前記搬送経路内の温度分布を計算する演算工程と、前記計算結果に基き前記描画装置にパターン描画データの補正値を与える制御工程とを具備することを特徴とするパターン描画装置における温度測定方法。
【請求項４】
描画チャンバーと、前記描画チャンバー内に設置されたステージと、前記描画チャンバーと接続された待機用チャンバーと、前記待機用チャンバー内に設置された恒温装置とを具備するパターン描画装置における温度測定方法であって、
温度測定手段と、前記温度測定手段によって測定された温度を記録又は外部に出力する記録出力手段とを具備するダミー基板を、前記恒温装置に搬送し、次に前記描画チャンバー内に搬送し、次に前記ステージ上に設置することによって、前記恒温装置、前記ステージ上の搬送経路における前記ダミー基板の温度履歴を前記記録出力手段により記録又は外部に出力する温度測定方法であり、
前記搬送経路内の少なくとも１箇所に前記ダミー基板を滞留し、当該場所の温度を測定する工程と、前記搬送経路内の温度分布を計算する演算工程と、前記計算結果に基き搬送経路内の温度変化が小さくなるように最適な値に制御する制御工程とを具備することを特徴とするパターン描画装置における温度測定方法。
【発明の詳細な説明】
【０００１】
【発明の属する技術分野】
本発明は、パターン描画製造装置における温度測定方法に関する。
【０００２】
【従来の技術】
近年ＬＳＩの高集積化及び大容量化に伴い、半導体装置に要求される回路線幅はますます微細化されてきている。これらの半導体装置は、従来、所望の回路パターンを形成するのに数十種類の原画パターン（レチクル或いはマスクと呼ばれる）を、半導体ウエハ上の露光領域に高精度に位置合わせして、転写することによって作成している。この半導体ウエハが光学系に対しステップ＆リピートするためにこの転写装置はステッパと呼ばれている。
【０００３】
このような半導体プロセスにおいて、原画パターンの形成方法は、片面にＣｒを蒸着したガラス基板上に、レジストが均一に塗布された基板を用い、この基板上に電子ビームを照射して、パターン設計データにしたがってビームスポットを走査する。そして現像することによって電子ビームが照射された部分のレジストをマスクとして、下層のＣｒをエッチングし前記レジストを除去することによって所望のパターンを形成する。
【０００４】
このようなガラス基板上にパターンを描画する場合、描画中にガラス基板の温度が変化するとガラス基板の膨張や収縮が生じる。描画の際、ガラス基板はレーザ干渉計により精密に制御された描画ステージ上に固定されており、ガラス基板上のどこにパターンを描画するかは、レーザ干渉計の測定値に基づき制御される。したがって描画中にガラス基板が膨張や収縮するとパターンの位置誤差が生じる。例えば、合成石英からなるガラス基板の線膨張係数αはα＝０．４×１０−６であるので、描画中のガラス基板温度が１℃変化すると、ガラス基板上で１３０ｍｍ隔てた２点間の距離は１３０ｍｍ×α＝５２ｎｍ変化し、パターン位置の誤差としては大きい値となる。このことはステージ上にガラス基板を搬送する前の温度が低い場合、描画中における温度変化が大きくなり前記パターン位置の誤差はより顕著となる。
【０００５】
上記問題を回避するために、ガラス基板を搬送する経路は、温度制御された恒温水を近傍に通過させることにより温度の安定化を図っている。また温度制御のために、基板搬送経路内の各主要部に温度計を設置し、恒温化しているかどうかモニタする必要がある。
【０００６】
しかしながら、温度計は絶対温度に対し、かならずある量の測定値ずれ（ＪＩＳ１級で絶対値±０．１５℃）を持つため、搬送経路を一様の温度に設定するためには、各温度計の個体差を較正する必要があった。しかし、温度較正を行うためには温度の絶対基準を用意して数十個ある温度計を全て合わせこむ必要があり、調整に多大な労力を要する。
【０００７】
また、温度計は基板の搬送を妨ない位置や描画中は基板から離れたステージ上或いはチャンバー内に設置しなければならず、実際の基板そのものの温度を正確に測定することができないという問題がある。
【０００８】
【発明が解決しようとする課題】
本発明は上記問題点を鑑みてなされたもので、搬送途中の基板温度及び描画中の基板温度を正確に測定し、高精度なパターンを形成できる微細描画装置における温度測定方法を提供することを目的とする。
【０００９】
【課題を解決するための手段】
上記目的を達成するために、描画チャンバーと、前記描画チャンバー内に設置されたステージと、前記描画チャンバーと接続された待機用チャンバーと、前記待機用チャンバー内に設置された恒温装置とを具備するパターン描画装置における温度測定方法であって、温度測定手段と、前記温度測定手段によって測定された温度を記録する記録手段とを具備するダミー基板を、前記恒温装置に搬送し、次に前記描画チャンバー内に搬送し、次に前記ステージ上に設置することによって、前記恒温装置、前記ステージ上の搬送経路における前記ダミー基板の温度履歴を前記記録手段に記録する温度測定方法であり、前記搬送経路内の少なくとも１箇所に前記ダミー基板を滞留し、当該場所の温度を測定する工程と、前記搬送経路内の温度分布を計算する演算工程と、前記計算結果に基づき前記描画装置にパターン描画データの補正値を与える制御工程とを具備することを特徴とするパターン描画装置における温度測定方法を提供する。
【００１０】
また本発明は、描画チャンバーと、前記描画チャンバー内に設置されたステージと、前記描画チャンバーと接続された待機用チャンバーと、前記待機用チャンバー内に設置された恒温装置とを具備するパターン描画装置における温度測定方法であって、温度測定手段と、前記温度測定手段によって測定された温度を電磁波に変換し出力する発信手段とを具備するダミー基板を、前記恒温装置に搬送し、次に前記描画チャンバー内に搬送し、次に前記ステージ上に設置することによって、前記恒温装置、前記ステージ上の搬送経路における前記ダミー基板の温度履歴を前記発信手段から前記チャンバー外部で受信することによって測定する温度測定方法であり、前記搬送経路内の少なくとも１箇所に前記ダミー基板を滞留し、当該場所の温度を測定する工程と、前記搬送経路内の温度分布を計算する演算工程と、前記計算結果に基き前記描画装置にパターン描画データの補正値を与える制御工程とを具備することを特徴とするパターン描画装置における温度測定方法を提供する。
【００１１】
また、本発明は、描画チャンバーと、前記描画チャンバー内に設置されたステージと、前記描画チャンバーと接続された待機用チャンバーと、前記待機用チャンバー内に設置された恒温装置とを具備するパターン描画装置における温度測定方法であって、温度測定手段と、前記温度測定手段に接続された端子とを具備するダミー基板を、前記恒温装置に搬送し、次に前記描画チャンバー内に搬送し、次に前記ステージ上に設置することによって、前記恒温装置、前記ステージ上の搬送経路における前記ダミー基板の温度を前記搬送経路内に設けられた接続手段と前記ダミー基板の前記端子とを接続することによって測定する温度測定方法であり、前記搬送経路内の少なくとも１箇所に前記ダミー基板を滞留し、当該場所の温度を測定する工程と、前記搬送経路内の温度分布を計算する演算工程と、前記計算結果に基づき前記描画装置にパターン描画データの補正値を与える制御工程とを具備することを特徴とするパターン描画装置における温度測定方法を提供する。
【００１２】
また、本発明は、描画チャンバーと、前記描画チャンバー内に設置されたステージと、前記描画チャンバーと接続された待機用チャンバーと、前記待機用チャンバー内に設置された恒温装置とを具備するパターン描画装置における温度測定方法であって、温度測定手段と、前記温度測定手段によって測定された温度を記録又は外部に出力する記録出力手段とを具備するダミー基板を、前記恒温装置に搬送し、次に前記描画チャンバー内に搬送し、次に前記ステージ上に設置することによって、前記恒温装置、前記ステージ上の搬送経路における前記ダミー基板の温度履歴を前記記録出力手段により記録又は外部に出力する温度測定方法であり、前記搬送経路内の少なくとも１箇所に前記ダミー基板を滞留し、当該場所の温度を測定する工程と、前記搬送経路内の温度分布を計算する演算工程と、前記計算結果に基づき搬送経路内の温度変化が小さくなるように最適な値に制御する制御工程とを具備することを特徴とするパターン描画装置における温度測定方法を提供する。
【００１４】
また、本発明は、描画チャンバーと、前記描画チャンバー内に設置されたステージと、前記描画チャンバーと接続された待機用チャンバーと、前記待機用チャンバー内に設置された恒温装置とを具備するパターン描画装置における温度測定方法において、温度測定手段と、前記温度測定手段に接続された端子とを具備するダミー基板を、前記ステージ上に搬送し、前記ステージに設けられた接続手段と前記ダミー基板に設けられた前記端子とを接続して前記ステージ上に設置された前記ダミー基板の温度を測定し、この測定された温度に基づいて、前記ダミー基板が搬送された経路における温度変化が小さくなるように、温度を制御することを特徴とするパターン描画装置における温度測定方法を提供する。
【００１５】
本発明では、半導体素子パターンを露光する原画パターンを形成するためのマスク基板と、実質的に同じ形状を持つダミー基板に温度計を設置し、実際のマスク基板を搬送するのと同じ条件で、ダミー基板を描画装置内に搬送し、描画装置内での温度履歴を測定することを骨子とする。
【００１６】
このようにすることによって実際のマスク基板の温度変化を測定可能になり、ダミー基板の温度履歴データに基づいて必要に応じて描画装置や恒温装置、ロードロック装置等の温度制御を調整し、或いはパターン露光条件を調整することで、合わせずれのない高精度パターンマスクを製造することが可能となる。
【００１７】
【発明の実施の形態】
以下、図面を用いて本発明の好ましい実施形態について説明する。
【００１８】
（実施形態１）
図１は、本発明の実施形態１に係る高精度パターン描画装置における温度測定方法に用いるダミー基板の上面から見た概略図である。
【００１９】
符号１は、実際に作成するマスク基板とほぼ同じ形状に加工されたガラス基板である。符号３は白金抵抗体や熱電対等の温度計、符号４はマイクロコンピュータを内蔵する半導体メモリ等の記憶手段を示す。温度計３はガラス基板１の表面上に設置され、ガラス基板１内部に埋め込まれている記憶手段４と電気的に接続されている。また温度計４が白金抵抗体や熱電対の場合、温度は電位差として測定されるので電圧計を介して記憶手段に記憶されるようになっている。
【００２０】
図２は、本発明に用いる高精度パターン描画装置の上面から見た概略図である。
【００２１】
描画装置の描画チャンバー１０内には、ＸＹステージ１５が配置されている。この描画チャンバー１０は、ゲートバルブ３２を介して、ロボット室３１と接続されている。ロボット室３１は恒温装置が設置されている描画待機用チャンバー８及びロードロック３０と接続されている。描画チャンバー１０には温度制御手段１１が設置されステージ１５の温度制御をし、描画待機用チャンバー８には温度制御手段１４が接続され描画待機用チャンバー内に設置されている恒温装置の温度制御を行う。
【００２２】
次に、このように配置された高精度パターン描画装置に、図１に示した温度計３及び記録手段４を具備するダミー基板１を搬入してその温度履歴を測定する場合について述べる。
【００２３】
先ず、図１に示したダミー基板１を、ロードロック３０内に配置し、真空引きしてロボット室３１に接続する。このときロボット室３１、描画待機用チャンバー８、描画チャンバー１０は予め排気されている。
【００２４】
次に、ダミー基板１は、ロボット室３１内にあるロボットアームによって描画待機用チャンバー８内に設置されている恒温装置上に搬入される。この恒温装置は、温度制御手段１４によって、描画チャンバー１０内のステージ１５と同じ温度になるように温度制御手段１１と同じ温度に設定されている。ダミー基板１は、描画待機用チャンバー８内で一定時間待機し、一定温度になるように恒温化される。
【００２５】
次に、ダミー基板１は、図２中矢印３３に示すように、ロボットアームによって描画待機用チャンバー８内から搬出され、描画チャンバー１０内のステージ上に搬入され設置される。このときゲートバルブ３２は開閉される。
【００２６】
図３は、このときのダミー基板１がステージ１５上に設置された状態を示す断面図である。
【００２７】
図３に示すように、ダミー基板１はステージ１５上の基板保持手段２によって固定されている。図中１２は電子ビームを照射するための鏡筒である。
【００２８】
そして実際の描画パターンによって描画装置を作動させる。描画終了後ダミー基板１は、ロボットアームによって、描画チャンバー１０から搬出され、ロードロック３０に搬出される。
【００２９】
ダミー基板１は、これら一連の搬入過程及び搬出過程における温度変化を、温度計３によって測定し、この測定結果を記録手段４によって記録する。
【００３０】
図４に、記録手段４に記録された温度計３の時間変化を示す。
【００３１】
図４は、描画待機チャンバー８内にＴ１時間（Ｔ１＝２時間）保持後、ステージ１５上にＴ２時間（Ｔ２＝２．５時間）保持して描画したときの温度変化を示している。
【００３２】
図４に示すように、描画待機用チャンバー８内の温度ｔ１（ｔ１＝２２．３９℃）からステージ上の温度ｔ２（ｔ２＝２３．０２℃）まで、徐々に温度が上昇している様子が分かる。
【００３３】
このようにダミー基板１をこの装置に搬入する前には、ステージ１５の温度制御装置１１と、描画待機用チャンバー８内における恒温装置の温度制御装置１４の設定温度を同じ値にしていたが、それぞれの温度センサーには誤差があり、実際にダミー基板１を搬入してみると、その経路においてダミー基板１自体が受ける温度には差が生じていることが分かる。
【００３４】
もし、ダミー基板１を予め搬入して予備温度検査をせずにマスク基板を描画していれば、ステージ１５上に設置してから描画が終了するまでに温度差による膨張或いは収縮が起こり高精度パターンを描画することができない。
【００３５】
本実施形態では図４の結果より、搬送経路中における描画待機用チャンバー８内の恒温装置の設定温度が低いと判断し、温度制御装置１４の設定温度をΔｔ＝ｔ２（ステージ温度）−ｔ１（恒温装置温度）だけ昇温した。
【００３６】
また、このとき描画条件がゆるすならばステージ１５の温度制御装置１１の設定温度をΔｔ＝ｔ２（ステージ温度）−ｔ１（恒温装置温度）だけ降温させても良い。
【００３７】
また、これらの温度調整を行った後に、温度調整が正しく行われていることの確認或いは正しくなければ微調整のために、再度ダミー基板１を搬入して温度履歴を検出することが好ましい。
【００３８】
また、最終的に全ての装置内の温度が一定となったことを確認後、ステージ１５の温度制御装置１１と描画待機用チャンバー８内の恒温装置に接続された温度制御装置１４の温度目盛りを合わせこむことによって、それぞれの温度計の温度較正を行うこともできる。
【００３９】
このように予めダミー基板によって基板温度変化を測定し、温度補正することで、実際のマスク基板を描画する際に、装置内の温度差からくる基板の膨張・収縮を抑えることが可能となり、高精度パターンを形成することが可能となる。
【００４０】
（実施形態２）
図５（ａ）は、本発明の実施形態２に係る高精度パターン描画装置における温度測定方法に用いるダミー基板の上面から見た概略図であり、図５（ｂ）はダミー基板からの温度データを外部で受信し記録する装置の概略図である。
【００４１】
符号１は、実際に作成するマスク基板とほぼ同じ形状に加工されたガラス基板である。符号３は白金抵抗体や熱電対等の温度計、符号５はマイクロコンピュータを内蔵する発信手段を示めす。温度計３はガラス基板１の表面上に設置され、ガラス基板１内部に埋め込まれている発信手段４と電気的に接続されている。また温度計４が白金抵抗体や熱電対の場合温度は電位差として測定されるので電圧計を介して発信手段５に送られ電磁波に変換される。
【００４２】
また、外部装置は、発信手段５によって発信された電磁波を受信手段６で受信し、記録手段４に記録するように接続されている。
【００４３】
本実施形態によるダミー基板１も実施形態１と同様に用いることで、搬入経路における温度履歴を測定することが可能となる。
【００４４】
また、本実施形態では、ダミー基板１が受ける温度履歴をリアルタイムで外部装置によってモニタできるので、ステージ１５の温度制御装置１１及び描画待機用チャンバー８内における恒温装置の温度制御装置１４の合わせこみもより一層高精度に行うことが可能となる。
【００４５】
（実施形態３）
図６は、本発明の実施形態３に係る高精度パターン描画装置における温度測定方法に用いるダミー基板の上面から見た概略図である。
【００４６】
符号１は、実際に作成するマスク基板とほぼ同じ形状に加工されたガラス基板である。符号３は白金抵抗体や熱電対等の温度計、符号７は温度計３に接続された出力端子を示す。温度計３及び出力端子７はガラス基板１の表面上に設置されている。
【００４７】
本実施形態では、図２に示す描画待機用チャンバー８内の恒温装置に、ダミー基板１の出力端子７と接続可能な端子を配置し、温度制御装置１４等の外部装置からダミー基板１上の温度計の測定値をモニタできるようになっている。
【００４８】
また、この場合先ず描画待機用チャンバー８内の恒温装置の温度を測定し、次に、ダミー基板１をロボットアームでステージ１５上に搬入し、ステージ上にて温度が安定するまで十分滞留した後、すばやくロボットアームで描画待機用チャンバー８内に移動させて温度をモニタする。こうすることでステージ１５上における基板温度を測定することができる。
【００４９】
このような外部とダミー基板１上に形成された出力端子７とを接続できるように搬入経路に別途端子を設けることも可能である。例えば、このような端子をステージ１５に設けることによって描画待機チャンバー８内の恒温装置から搬入されたダミー基板１の温度変化の様子がリアルタイムで観測できる。
【００５０】
（実施形態４）
図７は、図６に示すダミー基板１がステージ１５上に設置された状態を示す断面図である。
【００５１】
図７に示すように、ダミー基板１はステージ１５上の基板保持手段２によって固定されている。図中１２は電子ビームを照射するための電子光学鏡筒である。
【００５２】
基板保持手段２内部にはダミー基板１における出力端子７と電気的に接続された配線１３が通されており、外部の記憶手段４と接続されている。
【００５３】
ダミー基板１に電子光学鏡筒１２から電子ビームを照射すると、ビーム照射によるダミー基板１の温度変化をリアルタイムで測定することができる。温度変化は描画するパターンデータなどの条件によって変化するため、ダミー基板１によって予め所望の描画データにより温度変動を測定しておく。次に、この温度変動データを基にダミー基板１に温度変動が生じないように、ステージ１５温度を温度制御装置１１にて制御する。このときの制御データを基に、実際のマスク基板を描画することによって、基板温度変動が生じず、高精度のパターンを形成することが可能となる。
【００５４】
（実施形態５）
図８は、図６に示すダミー基板１がステージ１５上に設置された状態を示す断面図である。
【００５５】
図８に示すように、ダミー基板１はステージ１５上の基板保持手段２によって固定されている。図中１２は電子ビームを照射するための電子光学鏡筒である。また符合１６は、電子ビームの出力や描画パターンを制御する描画制御装置である。
【００５６】
基板保持手段２内部にはダミー基板１における出力端子７と電気的に接続された配線１３が通されており、外部の記憶手段４と接続されている。
【００５７】
ダミー基板１に電子光学鏡筒１２から電子ビームを照射すると、ビーム照射によるダミー基板１の温度変化をリアルタイムで測定することができる。温度変化は描画するパターンデータなどの条件によって変化するため、ダミー基板１によって予め所望の描画データにより温度変動を測定しておく。次に、この温度変動データを基にマスク基板の伸縮を計算し、描画制御装置１６に入力して、実際のマスク基板を描画するときにマスク基板の伸縮に対応してパターン描画させることによって、基板温度の変動が生じても、高精度のパターンを形成することが可能となる。
【００５８】
【発明の効果】
本発明では、予めダミー基板を用いて基板温度を測定し、このデータに基づいて、装置内の温度補正をし、或いはパターン補正をすることで、高精度のパターンを形成することが可能となる。
【図面の簡単な説明】
【図１】  本発明の実施形態１に係る高精度パターン描画装置における温度測定にもちいるダミー基板の上面概略図。
【図２】  本発明の高精度パターン描画装置の上面概略図。
【図３】  本発明の高精度パターン描画装置の断面概略図。
【図４】  本発明の実施形態１に係る高精度パターン描画装置における温度測定の測定結果を示す図。
【図５】  本発明の実施形態２に係る高精度パターン描画装置における温度測定にもちいる、（ａ）ダミー基板の上面概略図及び（ｂ）外部受信装置と記憶手段を示す概略図。
【図６】  本発明の実施形態３に係る高精度パターン描画装置における温度測定にもちいるダミー基板の上面概略図。
【図７】  本発明の実施形態４に係る高精度パターン描画装置の断面概略図。
【図８】  本発明の実施形態５に係る高精度パターン描画装置の断面概略図。
【符号の説明】
１・・・ダミー基板
２・・・基板保持手段
３・・・温度計
４・・・記録手段
５・・・発信手段
６・・・受信手段
７・・・出力端子
８・・・描画待機用チャンバー
１０・・・描画チャンバー
１１・・・温度制御装置
１２・・・電子光学鏡筒
１３・・・配線
１４・・・温度制御装置
１５・・・ステージ
１６・・・描画制御装置
【図１】
0004150493.tif 000002
【図２】
0004150493.tif 000003
【図３】
0004150493.tif 000004
【図４】
0004150493.tif 000005
【図５】
0004150493.tif 000006
【図６】
0004150493.tif 000007
【図７】
0004150493.tif 000008
【図８】
0004150493.tif 000009